(57)【特許請求の範囲】
【請求項１】
圧縮機、室外熱交換器、第１の減圧装置、第１の室内熱交換器、第２の減圧装置、及び第２の室内熱交換器を順次配管で接続して冷媒を循環させ、前記第１の室内熱交換器を凝縮器、前記第２の室内熱交換器を蒸発器として機能させて、室内吸込み空気を前記第２の室内熱交換器で冷却除湿、前記第１の室内熱交換器で加熱し、これらを混合して吹出口から吹出す再熱除湿運転機能を有する空気調和機であって、
当該空気調和機の運転を制御する制御手段と、
室内の相対湿度を検出する湿度センサーと、
室温に相当する前記室内吸込み空気の乾球温度を検出する室温センサーと、
前記再熱除湿運転中に、凝縮温度に相当する前記第１の室内熱交換器の温度を検出する第１の管温度センサー、および蒸発温度に相当する前記第２の室内熱交換器の温度を検出する第２の管温度センサーと、を備え、
前記制御手段が、
再熱除湿運転中に、
前記湿度センサーが検出した前記相対湿度と、前記室温センサーが検出した乾球温度と、から、前記室内吸込み空気の露点温度を求めるとともに、
前記第１の管温度センサーおよび前記第２の管温度センサーが検出したそれぞれの温度と、予めインプットされている前記第１の室内熱交換器と前記第２の室内熱交換器との容量の比と、から、前記吹出口から吹出す吹出空気の乾球温度を求め、
この吹出空気の乾球温度が前記室内吸込み空気の露点温度よりも高くなるように、
前記室外熱交換器の凝縮容量を変化させる前記室外熱交換器の送風機の回転数、もしくは前記冷媒の循環量を変化させる前記第１の減圧装置の絞り量、もしくは前記第２の室内熱交換器の蒸発温度を変化させる前記第２の減圧装置の絞り量、の少なくともいずれかを制御することを特徴とする空気調和機。
【発明の詳細な説明】
【０００１】
【発明の属する技術分野】
本発明は、再熱除湿運転機能を有し、室内の温度と湿度を快適にする空気調和機に関するものである。
【０００２】
【従来の技術】
従来の空気調和機においては、図１２に示すように、室内ユニット内の室内熱交換器を、室内側絞り機構である第２の減圧装置５を挟んで２つの熱交換器、即ち、第１の室内熱交換器４と第２の室内熱交換器６に分け、通常の冷房運転においては、第２の減圧装置５を全開にして第１の室内熱交換器４及び第２の室内熱交換器６を蒸発器として機能させて冷房運転し、この冷房運転で室内が冷え過ぎると、マイコン（制御手段）が室内側絞り機構５と並列に設けられた冷房用電磁弁１８を閉じると共に、今まで減圧装置として機能していた第１の減圧装置３（電気式膨張弁）をほぼ全開にして、冷媒を第２の減圧装置で絞るようにして、即ち、第１の室内熱交換器４を凝縮器へ機能変換させ、第２の室内熱交換器６を蒸発器として機能させて運転する再熱除湿運転へ切換える。
【０００３】
次に、このような再熱除湿運転においては、図２に示すように、蒸発器（第２の室内熱交換器６）を通過した室内空気（吸込み空気）は冷却除湿されて室内ファン７へ吸込まれ、一方、凝縮器（第１の室内熱交換器４）を通過した室内空気は温められて、相対湿度を下げられ、室内ファン７へ吸込まれるので、これらの互いの室内空気は室内ファン７で混合された後、室内ユニットの吹出口から室内へ吹き出されることとなる。
【０００４】
従って、この時の空気状態の変化は、ほぼ図３の（ａ）のようになる。
即ち、凝縮器（第１の室内熱交換器４）を通過した吸込み室内空気は単に温められるだけであるから、その絶対湿度、即ち露点温度(Tｓdew)は変化せずに、相対湿度のみが変化してＡ状態となる。
【０００５】
一方、蒸発器（第２の室内熱交換器６）を通過した室内空気は冷却除湿されるため、その乾球温度（Tｓｄ）と湿球温度（Tｓw）はＢ状態となり、このＢ状態の空気と前述のＡ状態の空気が混合されてＣ状態となり、吹出口から室内ファン７により吹出されるため、その結果、室内ファン７の温度も吹出空気の乾球温度（Tｂｄ）と同じ温度となる。
【０００６】
なお、この再熱除湿運転中に、外気温度が低下したり、或いは、外気風速が増大したりして、図４のように、室外側の凝縮温度が低下すると、この変化に伴って第１の室内熱交換器の凝縮温度も、第２の室内熱交換器の蒸発温度も低下するので、その結果、吹出空気の乾球温度（Tｂｄ）も低下する。
【０００７】
従って、室内ファン７の温度でもある吹出し乾球温度（Tｂｄ）が、図３の（ｂ）のように、吸込み空気の露点温度(Tｓdew)より低くなってもそのまま運転する従来の空気調和機では、再熱除湿運転時に、室内空気の水分が室内ファン７に結露し、この結露した水分が吹出されるため、周囲を濡らすこととなる。
【０００８】
【発明が解決しようとする課題】
以上説明したように、従来の空気調和機においては、再熱除湿運転時に、室内ファンに結露した室内空気の水分が室内ファンに結露したり、周囲を濡らしたりするという問題があった。
【０００９】
この発明は係る問題点を解決するためになされたもので、室内空気の水分が結露し難く、水滴が飛散し難い空気調和機を得ることを目的とする。
【００１０】
【課題を解決するための手段】
この発明の空気調和機は、圧縮機、室外熱交換器、第１の減圧装置、第１の室内熱交換器、第２の減圧装置、及び第２の室内熱交換器を順次配管で接続して冷媒を循環させ、第１の室内熱交換器を凝縮器、第２の室内熱交換器を蒸発器として機能させて、室内吸込み空気を第２の室内熱交換器で冷却除湿、第１の室内熱交換器で加熱し、これらを混合して吹出口から吹出す再熱除湿運転機能を有する空気調和機であって、当該空気調和機の運転を制御する制御手段と、室内の相対湿度を検出する湿度センサーと、室温に相当する室内吸込み空気の乾球温度を検出する室温センサーと、再熱除湿運転中に、凝縮温度に相当する第１の室内熱交換器の温度を検出する第１の管温度センサー、および蒸発温度に相当する第２の室内熱交換器の温度を検出する第２の管温度センサーと、を備え、制御手段が、再熱除湿運転中に、湿度センサーが検出した相対湿度と、室温センサーが検出した乾球温度と、から、室内吸込み空気の露点温度を求めるとともに、第１の管温度センサーおよび第２の管温度センサーが検出したそれぞれの温度と、予めインプットされている第１の室内熱交換器と第２の室内熱交換器との容量の比と、から、吹出口から吹出す吹出空気の乾球温度を求め、この吹出空気の乾球温度が室内吸込み空気の露点温度よりも高くなるように、室外熱交換器の凝縮容量を変化させる室外熱交換器の送風機の回転数、もしくは冷媒の循環量を変化させる第１の減圧装置の絞り量、もしくは第２の室内熱交換器の蒸発温度を変化させる第２の減圧装置の絞り量、の少なくともいずれかを制御するものである。
【００１７】
【発明実施の形態】
実施の形態１．
図１は、この発明の実施の形態１における空気調和機の概略構成図であり、この図の１は圧縮機、２は室外熱交換器、３は電気式膨張弁等の第１の減圧装置、４は第１の室内熱交換器、５は第２の減圧装置、６は第２の室内熱交換器、７は室内送風機、８は室外送風機、９は室内マイコン、１０は室外マイコン、１８は第２の減圧装置５と並列に設けられ、第１の室内熱交換器４と第２の室内熱交換器６を連通したり、しなかったりする冷房用電磁弁１８で、この電磁弁１８は冷暖房時に開、再熱除湿時に閉となる。
【００１８】
また、１１は室内の湿度を検出する室内湿度検出手段、１２は室温である吸込み空気温度を検出する室温センサー、１３は第１の室内熱交換器４の温度（凝縮温度）を検出する第１の管温度センサー、１４は第２の室内熱交換器６の温度（蒸発温度）を検出する第２の管温度センサー、１５は外気温度センサー、１６は吹出空気温度センサー、１７はリモコンである。
なお、前述の室内湿度検出手段１１としては相対湿度センサーや絶対湿度センサー等を用い、この検出値と温度センサー値との組合わせから最終的に湿度を検出する。
【００１９】
また、室内制御部である室内マイコン９は、上記湿度センサー１１、室温センサー１２、第１、第２の管温度センサー１３、１４、リモコン１７、並びに室外制御部からの情報により、第２の減圧装置、室内送風機７の動作を制御し、この制御情報である第２の減圧装置の開閉状態や室内送風機の回転数等を室外制御部へ送信するので、この室外制御部である室内マイコン９は、前述の室内制御情報と外気温度センサーからの信号に基づいて圧縮機１の周波数や室外送風機８の回転数を制御する。
【００２０】
次に、このように構成された動作について説明する。
まず、通常の冷房運転においては、第２の減圧装置５を全開にして第１の室内熱交換器４及び第２の室内熱交換器６を蒸発器として機能させ、冷房運転する。
【００２１】
次に、この冷房運転で室内が冷え過ぎると、マイコン（制御手段）は第２の減圧装置５と並列に設けられた冷房用電磁弁１８を閉じると共に、今まで減圧装置として機能していた第１の減圧装置３（電気式膨張弁）をほぼ全開にして、冷媒を第２の減圧装置で絞るようにする。即ち、第１の室内熱交換器４を凝縮器へ機能変換させ、第２の室内熱交換器６をそのまま蒸発器として機能させて運転する再熱除湿運転へ切換える。
【００２２】
次に、この再熱除湿運転に切換えられると、図２に示すように、蒸発器（第２の室内熱交換器６）を通過した室内空気（吸込み空気）は冷却除湿され、室内ファン７へ吸込まれると共に、凝縮器（第１の室内熱交換器４）を通過した室内空気は温められて、相対湿度が下げられ、室内ファン７へ吸込まれ、この室内ファン７で互いの室内空気は混合された後、室内ユニットの吹出口から室内へ吹き出されることとなる。
【００２３】
従って、この再熱除湿運転における空気状態の変化は、ほぼ図３の（ａ）のようになる。
即ち、凝縮器（第１の室内熱交換器４）を通過した吸込み室内空気は単に温められるだけであるから、その絶対湿度、言い換えれば、露点温度(Tｓdew)は変化せずに、単に相対湿度のみが低下したＡの状態となる。
【００２４】
一方、蒸発器（第２の室内熱交換器６）を通過した室内空気は冷却除湿されるため、その乾球温度（Tｓｄ）と湿球温度（Tｓw）はＢ状態となり、このＢ状態の空気と前述のＡ状態の空気が室内ファン７で混合され、Ｃ状態となり、室内ユニットの吹出口から吹出される。
なお、その結果、この吹出空気が通過する室内ファン７及び吹出側風路表面の温度はＣ状態の吹出空気の乾球温度（Tｂｄ）とほぼ同じ温度となる。
【００２５】
次に、この再熱除湿運転中に、外気温度が低下したり、或いは、外気風速が増大したりして、図４のように、室外側の凝縮温度が低下すると、この変化に伴って第１の室内熱交換器の凝縮温度も、第２の室内熱交換器の蒸発温度も低下し、その結果、室内ファン７及びその吹出側構成表面風路温度でもある吹出空気の乾球温度（Tｂｄ）が、図３の（ｂ）に示すように低下して、吸込み空気の露点温度(Tｓdew)よりも低くなった状態となる。
【００２６】
次に、この状態で、吸込み空気の一部が第１及び第２の室内熱交換器と接触せずにフィン間を通り抜けたり、或いは、接触しても、特に、蒸発器として機能する第２の室内熱交換器の冷媒出口部分では、外気温度低下や外気風速上昇によって低圧が低下し、それによって冷媒循環量が低下し、その部分は冷却機能を有しない過熱状態、言い換えれば、吸込み空気が冷却されることなく、そのまま通り抜けることとなり、その結果、この通り抜けた空気中の水分が室内ファン７やその吹出側構成表面に着露し、室内ファン７によって飛散されることとなる。
【００２７】
従って、制御手段は、このような状態にならないように、室外ファン８の回転数を低下（停止も含む）させ、図５に示すように、室外熱交換器２の温度を上げ、この温度と連動する第１と第２の室内熱交換器４、６の温度を上げて、即ち、加熱温度と冷却温度を上げて、室内ファン７の表面温度となる吹出空気の乾球温度（Tｂｄ）を吸込み空気の露点温度(Tｓdew)以上となるようにする。
【００２８】
なお、その後、外気温度や外気風速が元に戻り、吹出空気の乾球温度（Tｂｄ）が吸込み空気の露点温度(Tｓdew)よりも所定温度以上高くなると、制御手段は室外ファン８の回転数を上げて、再熱除湿能力をアップした運転をする。
言い換えれば、室外ファン８の回転数を低下させたり、停止させて室外熱交換器の凝縮量を制限すると、図６に示すように、室温をコントロールする範囲も狭くなるため、室温が上がった時には、コントロール範囲が広くなるように、室外ファン速を上げ、元に戻す。
【００２９】
また、この再熱除湿運転において、室外ファン８の回転数を余り低下させたり、停止させたりすると、その送風によって制御ボックス内の制御機器も冷却しているため、制御機器の温度が上昇して動作不良を起したり、故障してしまう恐れがある。
従って、図７に示すように、制御手段は、制御ボックスの温度（周囲又は内部温度）或いはその温度を決める主要因子である外気温度が所定温度以上になった時には、室外ファン８の回転数を低下させずにその回転数を維持したり、停止させた場合はＯＮ−ＯＦＦ運転を繰り返して、所定温度を維持するようにする。
【００３０】
以上説明したように、制御手段が、空気吹出側構成部の表面温度となる吹出空気の乾球温度（Tｂｄ）と吸込み空気の露点温度(Tｓdew)との温度差に応じて室外ファン８の回転数を制御し、室内ファン７の表面に水分が付着しないようにしたので、室内ファン等の結露を防止しながら室内空気の湿度を下げるようになるため、室内へ水滴を飛散させることなく室内湿度を快適にする信頼性の高い空気調和機が得られる。
【００３１】
また、室外側の制御ボックスの周囲温度又は内部温度が所定温度以上の時は、室外ファン８の回転数を維持するようにしたので、室内ファンの結露を防止しながら温度上昇に起因して発生する各種トラブルを防止した信頼性の高い空気調和機が得られる。
【００３２】
また、以上の説明では、吹出空気の乾球温度と吸込み空気の露点温度とを比較して室内ファン７の結露を未然に防止するようにしたが、前述したように、外気温度が低くなり、室外熱交換器２の温度が低下すると、これと連動して第１及び第２の室内熱交換器の温度が下がり、加熱温度と冷媒循環量が低下して、加熱力が弱くなり、吹出空気の乾球温度が低下するのであるから、明らかに、室外ファン速に対する吹出空気の乾球温度と外気温度とは図８に示すような関係となるので、吹出空気の乾球温度の換わりに外気温度を用いて、室外ファン８の回転数を制御するようにしてもほぼ同じこととなる。
【００３３】
即ち、この図８又は１１に示すように、外気温が高いＡの状態、即ち、吹出空気の乾球温度（Tｂｄ）が吸込み空気の露点温度(Tｓdew)以上で運転されている時に、外気温が下がっても、室外ファン８の回転数を変えずに、凝縮容量が過大になったＢの状態、即ち、吹出空気の乾球温度（Tｂｄ）が吸込み空気の露点温度(Tｓdew)以下の状態で運転すると、室内ファン７の表面、或いはその吹出側構成表面が結露した状態で運転されることとなる。
【００３４】
従って、制御手段はその吸込み空気の露点温度(Tｓdew)における外気温度に応じて室外ファン８の回転数を低下させ、凝縮容量を小さくし、吹出空気の乾球温度（Tｂｄ）を上げて、吸込み空気の露点温度(Tｓdew)以上となるＣ状態で運転し、室内ファン７の結露を防止する。
【００３５】
実施の形態２．
この実施の形態２においては、再熱除湿運転時に、室内ファン７の表面温度である吹出空気の乾球温度（Tｂｄ）と吸込み空気の露点温度(Tｓdew)との温度差に応じて第１の減圧装置の開度を制御し、再熱除湿運転時の室内ファン７の結露を防止するものである。
なお、この実施の形態２の構成はほぼ実施の形態１と同じである。
【００３６】
次に、この再熱除湿運転の詳細な動作について説明する。
まず、外気温度が低下したり、或いは、外気風速が増大したりして、室外熱交換器２の凝縮温度が低下し、この変化に伴って第１の室内熱交換器４の凝縮温度、及び第２の室内熱交換器６の蒸発温度が低下し、吹出空気の温度、特に室内ファン７の表面温度となる吹出空気乾球温度（Tｂｄ）が下がり、吸込み空気の露点温度(Tｓdew)に近づくと、制御手段は室内ファン７の表面に水分が着露すると判断して、図９に示すように、第１の減圧装置３の開度を絞り、室外熱交換器２内に冷媒を溜めて該熱交換器の熱交換の能力を低下させて該温度を上げ、この温度と連動する第１室内熱交換器４の凝縮温度（加熱力）を上げ、最終的に、ここを通過する空気の温度を上げることにより、吹出空気の乾球温度が吸込み空気の露点温度以上となるようにする。
【００３７】
なお、その後、外気温度や外気風速が元に戻り、吹出空気の乾球温度（Tｂｄ）が吸込み空気の露点温度(Tｓdew)よりも所定温度以上高くなると、第１の減圧装置３の開度を開いて冷媒の循環量を増やし、再熱除湿運転能力をアップした運転をする。
【００３８】
以上説明したように、制御手段が、吹出空気の乾球温度（Tｂｄ）と吸込み空気の露点温度(Tｓdew)との温度差に応じて第１の減圧装置の開度３を制御し、第１室内熱交換器４の凝縮温度（加熱力）を上げて、吹出空気の乾球温度が吸込み空気の露点温度以上となるようにしたので、室内ファン等の結露を防止しながら室内空気の湿度を下げるようになるため、室内へ水滴を飛散させることなく室内湿度を快適にする信頼性の高い空気調和機が得られる。
【００３９】
また、第１の減圧装置３の開度を制御して室内ファン７の結露を防止するようにすると、制御ボックスを冷却する室外ファン８の回転数を低下させずに制御できるようになるため、制御機器の各種トラブルを未然に防止しながら、室内ファン７の結露も防止することもできる。
【００４０】
また、この時、実施の形態１でも説明したように、外気温度が低くなり、加熱力が弱くなると、吹出空気の乾球温度が低下し、それよって室内ファン７の表面温度等が低下して結露するのであるから、吹出空気の乾球温度の換わりに、外気温度に応じて第１の減圧装置３の開度を制御するようにしても、ほぼ同じこととなる。
【００４１】
実施の形態３．
この実施の形態３においては、再熱除湿運転における室内ファンや空気吹出側構成部材表面の結露を防止するために、吹出空気の温度を下げる蒸発器として機能する第２の室内熱交換器の温度を上げて行なうものである。
なお、この実施の形態３の構成は実施の形態１とほぼ同じである。
【００４２】
次に、この再熱除湿運転の詳細について説明する。
まず、図１０に示すように、吹出空気の乾球温度が吸込み空気の露点温度以上のＡ状態で運転されている時、外気温度が低下したり、或いは、外気風速が増大したりして、室外熱交換器２の凝縮温度が低下し、この変化に伴って第１の室内熱交換器４の凝縮温度ＣＴ１、及び第２の室内熱交換器６の蒸発温度ＥＴ１が低下し、ＣＴ２とＥＴ２のＢ状態、即ち、室内ファン７の表面温度となる乾球温度（Tｂｄ）が吸込み空気の露点温度(Tｓdew)以下になると、制御手段は室内ファン７の表面に水分が着露すると判断して、第２の減圧装置５の開度を開き、第２の室内熱交換器６の蒸発温度を上げて、例えば、Ｃ状態にして、該熱交換器６を通過する空気の温度低下を抑え、吹出空気の乾球温度が吸込み空気の露点温度以上となるようにする。
【００４３】
なお、その後、外気温度や外気風速が元に戻り、吹出空気の乾球温度（Tｂｄ）が吸込み空気の露点温度(Tｓdew)よりも所定温度以上高くなると、制御手段は、第２の減圧装置５の開度を絞り、第２の室内熱交換器６の蒸発温度を下げ、冷却除湿能力を上げた運転をする。
【００４４】
以上説明したように、制御手段が、吹出空気の乾球温度（Tｂｄ）と吸込み空気の露点温度(Tｓdew)との温度差に応じて第２の減圧装置５の開度を制御して、第２の室内熱交換器６の蒸発温度を上げて、吹出空気の乾球温度が吸込み空気の露点温度以上となるようにしたので、室内ファン等の結露を防止しながら室内空気の湿度を下げるようになるため、室内へ水滴を飛散させることなく室内湿度を快適にする信頼性の高い空気調和機が得られる。
【００４５】
また、この時、実施の形態１でも説明したように、外気温度が低くなり、加熱力が弱くなると、吹出空気の乾球温度が低下し、それよって室内ファン７の表面温度等が低下して結露するのであるから、吹出空気の乾球温度の換わりに、外気温度に応じて第１の減圧装置３の開度を制御するようにしても、ほぼ同じこととなる。
【００４６】
また、以上説明した実施の形態１から３までのいずれかを互いに組合わせて実施するようにすれば、更に、確実に、スピーディに室内ファン等の結露を防止しながら室内空気の湿度を下げるようになるため、室内へ水滴を飛散させることなく室内湿度を快適にする信頼性の高い空気調和機が得られることは言うまでもない。
【００４７】
実施の形態４．
この実施の形態４においては、図３に示すように、実施の形態１から３の再熱除湿運転において、制御手段が、室内ファン７の表面温度でもある空気吹出側構成部の表面温度が前記吸込み空気の露点温度以上か以下かを判断する時、前記吸込み空気に対する前記第１の室内熱交換器の温度と前記第２の室内熱交換器の温度との関係から判断するものである。
【００４８】
即ち、第１の室内熱交換器の温度（凝縮温度）である第１の管温センサー、及び第２の室内熱交換器の温度（蒸発温度）である第１の管温センサーから、吸込み空気に対する吹出空気の乾球温度（Tｂｄ）、言い換えれば、室内ファン７の表面温度を求め、この室内ファン７の表面温度が吸込み空気の露点温度（Tｓdew）よりも高くなっているか否かを判断して、室外ファン８の回転数、第１の減圧装置３の絞り量（開度）、又は第２の減圧装置５の絞り量（開度）を制御して、室内ファン７の結露を防止するものである。
【００４９】
次に、この再熱除湿運転の詳細な動作について説明する。
まず、制御手段は、室内湿度検出手段１１と室温センサー１２で検出された吸込み空気の乾球温度と相対湿度（湿球温度）から吸込み空気の露点温度（Tｓdew）を求める一方、空気調和機の各種機器のスペック（室内・外熱交換器の容量等）は全て決まっており、その情報は予め制御手段にインプットされているので、吸込み空気温度状態と第１の室内熱交換器の凝縮温度から図３の（ａ）に示したＡ状態を、また、吸込み空気温度状態と第２の室内熱交換器の温度（蒸発温度）からＢ状態を求め、その後、それらのＡ状態とＢ状態の風量比からＣ状態を求め、このＣ状態から吹出空気の乾球温度（Tｂｄ）、言い換えれば、空気吹出側構成部の温度でもある室内ファン７の表面温度を求める。
【００５０】
次に、この求まった吹出空気の乾球温度（Tｂｄ）と吸込み空気の露点温度（Tｓdew）とを制御手段が比較して、吹出空気の乾球温度（Tｂｄ）が吸込み空気の露点温度（Tｓdew）よりも高くなるように室外ファン８の回転数、第１の減圧装置３の絞り量（開度）、又は第２の減圧装置５の絞り量（開度）を制御して、空気吹出側構成部の結露を防止するようにする。
【００５１】
なお、このようにすると、結露を防止する加熱量と冷却量との関係を直接見ながら制御するため、更に確実に結露を防止制御できる信頼性の高い空気調和機が得られる。
【００５２】
【発明の効果】
以上説明したように、この発明の空気調和機は、圧縮機、室外熱交換器、第１の減圧装置、第１の室内熱交換器、第２の減圧装置、及び第２の室内熱交換器を順次配管で接続して冷媒を循環させ、第１の室内熱交換器を凝縮器、第２の室内熱交換器を蒸発器として機能させて、室内吸込み空気を第２の室内熱交換器で冷却除湿、第１の室内熱交換器で加熱し、これらを混合して吹出口から吹出す再熱除湿運転機能を有する空気調和機であって、当該空気調和機の運転を制御する制御手段と、室内の相対湿度を検出する湿度センサーと、室温に相当する室内吸込み空気の乾球温度を検出する室温センサーと、再熱除湿運転中に、凝縮温度に相当する第１の室内熱交換器の温度を検出する第１の管温度センサー、および蒸発温度に相当する第２の室内熱交換器の温度を検出する第２の管温度センサーと、を備え、制御手段が、再熱除湿運転中に、湿度センサーが検出した相対湿度と、室温センサーが検出した乾球温度と、から、室内吸込み空気の露点温度を求めるとともに、第１の管温度センサーおよび第２の管温度センサーが検出したそれぞれの温度と、予めインプットされている第１の室内熱交換器と第２の室内熱交換器との容量の比と、から、吹出口から吹出す吹出空気の乾球温度を求め、この吹出空気の乾球温度が室内吸込み空気の露点温度よりも高くなるように、室外熱交換器の凝縮容量を変化させる室外熱交換器の送風機の回転数、もしくは冷媒の循環量を変化させる第１の減圧装置の絞り量、もしくは第２の室内熱交換器の蒸発温度を変化させる第２の減圧装置の絞り量、の少なくともいずれかを制御することにより、吹出側の結露を防止しながら室内空気の湿度を下げる再熱除湿運転をするようになるため、室内へ水滴を飛散させることなく室内湿度を快適にする信頼性の高い空気調和機が得られる。
【図面の簡単な説明】
【図１】  この発明の実施の形態１から３の空気調和機の概略構成図である。
【図２】  この発明及び従来の再熱運転時における室内機の概略構成図である。
【図３】  この発明及び従来の再熱運転時の空気線図上における空気状態変化図である。
【図４】  この発明の外気温度が変化した時の実施の形態１から３の空気調和機のモリエル線図である。
【図５】  この発明の実施の形態１における室外ファン速を変化させた時の空気調和機のモリエル線図である。
【図６】  この発明の実施の形態１における室外ファン速を変化させた時の能力変化図である。
【図７】  この発明の実施の形態１における室外ファン速を変化させた時の電気部品の温度変化図である。
【図８】  この発明の実施の形態１の室外ファン速と外気温度との関係における着露状態変化図である。
【図９】  この発明の実施の形態２における第１の減圧装置の開度を変えた時の空気調和機のモリエル線図である。
【図１０】  この発明の実施の形態３における第２の減圧装置の開度を変えた時の着露状態図である。
【図１１】  この発明の実施の形態１の室外ファン速と外気温度との関係における着露状態変化図である。
【図１２】  従来の空気調和機の概略構成図である。
【符号の説明】
１  圧縮機、  ２  室外熱交換器、  ３  第１の減圧装置、  ４  第１の室内熱交換器、  ５  第２の減圧装置、  ６  第２の室内熱交換器、  ７室内送風機、  ８  室外送風機、  ９  室内制御部、  １０  室外制御部、  １１  相対湿度センサー、  １２  室温センサー、  １３  室内凝縮温度センサー、  １４  室内蒸発温度センサー、  １５  外気温度センサー、  １６  吹出温度センサー、  １７  リモコン、  １８  冷却用電磁弁。
【図１】
0004325119.tif 000002
【図２】
0004325119.tif 000003
【図３】
0004325119.tif 000004
【図４】
0004325119.tif 000005
【図５】
0004325119.tif 000006
【図６】
0004325119.tif 000007
【図７】
0004325119.tif 000008
【図８】
0004325119.tif 000009
【図９】
0004325119.tif 000010
【図１０】
0004325119.tif 000011
【図１１】
0004325119.tif 000012
【図１２】
0004325119.tif 000013